(57)【特許請求の範囲】
【請求項１】
超音波を被検体へ送信し、該被検体から超音波エコーを受信し、超音波画像を表示する超音波診断装置であって、
操作されるまでの患者情報をリセットして新たな患者情報を入力する動作に切り換えるための操作ボタンの操作を有効にする通常モードと、前記操作ボタンの操作を無効にするロックモードとを切り換える通常／ロック切換手段を有し、
前記通常／ロック切換手段は、押しボタンと、前記押しボタンがＴ（≧２）秒以上押されたことを検出する押下検出手段とを含み、前記押しボタンをＴ秒以上押す操作で有効になることを特徴とする超音波診断装置。
【請求項２】
請求項１に記載の超音波診断装置において、
ロックモード中、前の患者に対する動作から新たな患者に対する動作に移ることを不能にすることを特徴とする超音波診断装置。
【請求項３】
請求項１又は請求項２に記載の超音波診断装置において、
ロックモード中、スキャン動作を停止することを特徴とする超音波診断装置。
【請求項４】
請求項１から請求項３のいずれかに記載の超音波診断装置において、
ロックモード中、コメント入力操作とデータ解析のための操作とが可能であることを特徴とする超音波診断装置。
【請求項５】
請求項１から請求項４のいずれかに記載の超音波診断装置において、
ロックモード中、パーソナルコンピュータとしての動作が可能であることを特徴とする超音波診断装置。
【請求項６】
請求項１から請求項５のいずれかに記載の超音波診断装置において、
ロックモード中である旨の報知を画像表示で行うことを特徴とする超音波診断装置。
【請求項７】
請求項１から請求項６のいずれかに記載の超音波診断装置において、
ロックモード中である旨の報知を発光手段で行うことを特徴とする超音波診断装置。
【請求項８】
請求項１から請求項７のいずれかに記載の超音波診断装置において、
キーボードを有し、該キーボードのキーが幅４００ｍｍ以内に配置されていることを特徴とする超音波診断装置。
【請求項９】
請求項１から請求項８のいずれかに記載の超音波診断装置において、
パワーオン時は通常モードで立ち上がることを特徴とする超音波診断装置。
【発明の詳細な説明】
【０００１】
【発明の属する技術分野】
本発明は、超音波診断装置に関し、さらに詳しくは、操作ボタンを誤って押してしまった時に面倒な結果を引き起こすことを防止できるようにした超音波診断装置に関する。
【０００２】
【従来の技術】
従来の超音波診断装置の一例では、コンソールに“New Patient”ボタンを備えている。
この“New Patient”ボタンを押すことにより、それまでの患者情報をリセットして新たな患者情報を入力する動作モードにワンタッチで切り換えることが出来る。
【０００３】
また、従来の超音波診断装置の一例では、超音波診断装置としての動作に加えてパーソナルコンピュータとしても動作可能になっている。そして、そのパーソナルコンピュータとして動作のために、パーソナルコンピュータが備えているのと同様のキーボードを備えている。
このような超音波診断装置では、患者の診断中にパーソナルコンピュータ動作を起動し、パーソナルコンピュータ用ソフトウエアでコメントを作成することが出来る。
【０００４】
【発明が解決しようとする課題】
近年、超音波診断装置の小型化が進められており、コンソール上の操作ボタン間のスペースも狭くなる傾向にある。
しかし、操作ボタン間のスペースが狭くなると、押すべき操作ボタンの隣の操作ボタンを誤って押してしまう頻度が高くなる。この場合に、誤って例えば“New Patient”ボタンを押してしまうと、それまでの患者情報がリセットされてしまうなど、面倒な結果を引き起こしかねない問題点がある。
【０００５】
また、パーソナルコンピュータ動作でキーボードを操作している時に、超音波診断装置の操作ボタンを誤って押してしまうことがある。この場合も、上記と同様に、面倒な結果を引き起こしかねない問題点がある。
【０００６】
そこで、本発明の目的は、操作ボタンを誤って押してしまった時に面倒な結果を引き起こすことを防止できるようにした超音波診断装置を提供することにある。
【０００７】
【課題を解決するための手段】
第１の観点では、本発明は、所定の１以上の操作ボタンの操作を有効にする通常モードと前記操作ボタンの操作を無効にするロックモードとを切り換える通常／ロック切換手段を有することを特徴とする超音波診断装置を提供する。
上記第１の観点による超音波診断装置では、通常／ロック切換手段によりロックモードに切り換えておけば、操作ボタンを誤って押してしまった時でも該操作が無効になるので、面倒な結果を引き起こすことを防止できる。
【０００８】
第２の観点では、本発明は、上記構成の超音波診断装置において、ロックモード中、前記操作ボタンの操作をソフトウエア的に無効にすることを特徴とする超音波診断装置を提供する。
上記第２の観点による超音波診断装置では、ソフトウエア処理で操作ボタンの操作を無効にするため、ハードウエアの変更が不要であり、実施が容易になる。
【０００９】
第３の観点では、本発明は、上記構成の超音波診断装置において、ロックモード中、前記操作ボタンの操作をハードウエア的に無効にすることを特徴とする超音波診断装置を提供する。
上記第３の観点による超音波診断装置では、ハードウエアで操作ボタンの操作を無効にするため、ソフトウエア処理の変更が不要であり、実施が容易になる。
【００１０】
第４の観点では、本発明は、上記構成の超音波診断装置において、前記操作ボタンが、該操作ボタンが操作されるまでの患者情報をリセットして新たな患者情報を入力する動作に切り換えるための操作ボタンを含むことを特徴とする超音波診断装置を提供する。
上記第４の観点による超音波診断装置では、前記“New Patient”ボタンを誤って押してしまった時でも該操作が無効になるので、現在の患者情報を誤ってリセットしてしまうことを防止できる。
【００１１】
第５の観点では、本発明は、上記構成の超音波診断装置において、ロックモード中、前の患者に対する動作から新たな患者に対する動作に移ることを不能にすることを特徴とする超音波診断装置を提供する。
上記第５の観点による超音波診断装置では、現在の患者情報が誤ってリセットされてしまうことを防止できる。
【００１２】
第６の観点では、本発明は、上記構成の超音波診断装置において、ロックモード中、スキャン動作を停止することを特徴とする超音波診断装置を提供する。
上記第６の観点による超音波診断装置では、スキャンデータを更新しないため、ロックモード開始時のスキャンデータを保持しておくことが出来る。
【００１３】
第７の観点では、本発明は、上記構成の超音波診断装置において、ロックモード中、コメント入力操作と、データ解析のための操作とが可能であることを特徴とする超音波診断装置を提供する。
上記第７の観点による超音波診断装置では、コメントを入力したり、データ解析を行う場合にロックモードにしておけるので、操作ボタンを誤って押してしまっても面倒な結果を引き起こす心配がなくなる。
【００１４】
第８の観点では、本発明は、上記構成の超音波診断装置において、ロックモード中、パーソナルコンピュータとしての動作が可能であることを特徴とする超音波診断装置を提供する。
上記第８の観点による超音波診断装置では、パーソナルコンピュータとして動作させる場合にロックモードにしておけるので、操作ボタンを誤って押してしまっても面倒な結果を引き起こす心配がなくなる。
【００１５】
第９の観点では、本発明は、上記構成の超音波診断装置において、前記通常／ロック切換手段は、押しボタンと、前記押しボタンがＴ（≧２）秒以上押されたことを検出する押下検出手段とを含み、前記押しボタンをＴ秒以上押す操作で有効になることを特徴とする超音波診断装置を提供する。
上記第９の観点による超音波診断装置では、押しボタンが２秒以上押されないと通常モード／ロックモード切換が有効にならないため、誤って通常モード／ロックモードを切り換えてしまうことを防止できる（誤って押しボタンを押すときの押し時間は多くの場合は１秒以下である）。
【００１６】
第１０の観点では、本発明は、上記構成の超音波診断装置において、前記通常／ロック切換手段は、有効にするのに２段階以上の操作を要することを特徴とする超音波診断装置を提供する。
上記第１０の観点による超音波診断装置では、２段階以上の操作を行わないと通常モード／ロックモード切換が有効にならないため、誤って通常モード／ロックモードを切り換えてしまうことを防止できる（２段階以上の操作が誤って行われる可能性はほとんどない）。
【００１７】
第１１の観点では、本発明は、上記構成の超音波診断装置において、前記通常／ロック切換手段は、押しボタンと、前記押しボタンのカバーと、前記押しボタンが押されたことを検出する押下検出手段とを含み、前記カバーを開ける第１段階の操作と前記押しボタンを押す第２段階の操作とで有効になることを特徴とする超音波診断装置を提供する。
上記第１１の観点による超音波診断装置では、カバーを開けて押しボタンを押すという２段階の操作を行わないと通常モード／ロックモード切換が有効にならないため、誤って通常モード／ロックモードを切り換えてしまうことを防止できる（カバーを開けて押しボタンを押すという２段階の操作が誤って行われる可能性はほとんどない）。
【００１８】
第１２の観点では、本発明は、上記構成の超音波診断装置において、前記通常／ロック切換手段は、複数の所定のキーが同時に操作されたことを検出する同時操作検出手段を含み、前記複数のキーを同時に操作することで有効になることを特徴とする超音波診断装置を提供する。
上記第１２の観点による超音波診断装置では、複数の所定のキーが同時に操作されないと通常モード／ロックモード切換が有効にならないため、誤って通常モード／ロックモードを切り換えてしまうことを防止できる（同時に押す可能性がないキーの組み合わせを選んでおけばよい）。
【００１９】
第１３の観点では、本発明は、上記構成の超音波診断装置において、ロックモード中である旨の報知を画面表示で行うことを特徴とする超音波診断装置を提供する。
上記第１３の観点による超音波診断装置では、画面表示により、ロックモード中であることを認識できる。
【００２０】
第１４の観点では、本発明は、上記構成の超音波診断装置において、ロックモード中である旨の報知を発光手段で行うことを特徴とする超音波診断装置を提供する。
上記第１４の観点による超音波診断装置では、ランプやＬＥＤの点滅状態により、ロックモード中であることを認識できる。
【００２１】
第１５の観点では、本発明は、上記構成の超音波診断装置において、キーボードを有し、該キーボードのキーが幅４００ｍｍ以内に配置されていることを特徴とする超音波診断装置を提供する。
上記第１５の観点による超音波診断装置では、操作ボタンを誤って押す確率が高い小型キーボードを採用した場合でも、面倒な結果を引き起こすことを防止できる。
【００２２】
第１６の観点では、本発明は、上記構成の超音波診断装置において、パワーオン時は通常モードで立ち上がることを特徴とする超音波診断装置を提供する。
上記第１６の観点による超音波診断装置では、パワーオン時は必ず通常モードで立ち上がるため、使い勝手が良くなる。例えば、パーソナルコンピュータとして動作させている時に動作がおかしくなって通常モードに戻せなくなっても、パワーオンすることにより、超音波診断装置として動作させることが可能になる。
【００２３】
【発明の実施の形態】
以下、図に示す実施の形態により本発明を詳細に説明する。なお、これにより本発明が限定されるものではない。
【００２４】
−第１の実施形態−
図１は、本発明の第１の実施形態に係る超音波診断装置１０１を示す構成図である。
この超音波診断装置１０１は、超音波パルスを被検体内へ送信すると共に該被検体内から超音波エコーを受信するプローブ１と、被検体の内部をスキャンするように音線方向を変えると共に各音線方向の音線信号を生成する送受信部２と、前記音線信号の強度やドプラ成分に基づいてＢモード画像データやＣＦＭ（Color Flow Mapping）画像データを生成する信号処理部３と、画像やメッセージ等を表示制御を行う表示制御部４と、画像やメッセージを表示するディスプレイ５と、操作者が操作を行う操作部６と、全体の動作を制御する制御部７とを具備している。
【００２５】
前記操作部６は、それまでの患者情報をリセットして新たな患者情報を入力する動作に切り換えるための“New Patient”ボタン６ａと、前記“New Patient”ボタン６ａの操作を有効にする通常モードと前記“New Patient”ボタン６ａの操作を無効にするロックモードとを切り換える通常／ロック切換ボタン６ｂとを含んでいる。
【００２６】
図２は、超音波診断装置１０１（プローブ１は省略）の外観図である。
操作部６の操作パネルには、“New Patient”ボタン６ａや通常／ロック切換ボタン６ｂやキーボードＫＢ等が配置されている。
【００２７】
超音波診断装置１０１は、パーソナルコンピュータとしての動作が可能であり、前記キーボードＫＢを用いてコンピュータ操作を行うことが出来る。
前記キーボードＫＢのキーは、小型化のため、幅４００ｍｍ以内に配置されている。
【００２８】
図３は、超音波診断装置１０１の制御部７で実行される操作検出処理を示すフロー図である。この操作検出処理は、パワーオン時に起動される。
ステップＨ１では、通常モードとする。
ステップＨ２では、通常／ロック切換ボタン６ｂが３秒以上押され続けたかチェックし、３秒以上押され続けたならステップＨ３へ進み、３秒以上押され続けてないならステップＨ９へ進む。
【００２９】
ステップＨ３では、現在のモードが通常モードならロックモードに変更し、現在のモードがロックモードなら通常モードに変更する。
ステップＨ４では、ロックモードに変更したならステップＨ５へ進み、通常モードに変更したならステップＨ７へ進む。
【００３０】
ステップＨ５では、スキャン動作を停止する。
ステップＨ６では、ディスプレイ５の画面にロックモード中である旨のメッセージ又はシンボルを表示する。
そして、ステップＨ９へ進む。
【００３１】
ステップＨ７では、スキャン動作を可能にする。
ステップＨ８では、ディスプレイ５の画面に表示していたロックモード中である旨のメッセージ又はシンボルを消去する。
そして、ステップＨ９へ進む。
【００３２】
ステップＨ９では、何らかの操作が行われたかチェックし、操作が行われたならステップＨ１０へ進み、操作が行われてないなら前記ステップＨ２に戻る。
【００３３】
ステップＨ１０では、“New Patient”ボタン６ａが押されたのであればステップＨ１１へ進み、それ以外の操作が行われたのであればステップＨ１２へ進む。
ステップＨ１１では、ロックモード中なら前記ステップＨ２に戻り、通常モード中ならステップＨ１２へ進む。
【００３４】
ステップＨ１２では、操作内容の処理を実行する。
そして、前記ステップＨ２に戻る。
【００３５】
以上の超音波診断装置１０１によれば、次の効果が得られる。
（１）通常／ロック切換ボタン６ｂによりロックモードに切り換えておけば、“New Patient”ボタン６ａを誤って押してしまった時でも該操作が無効になるので、現在の患者情報を誤ってリセットしてしまうことを防止できる。
（２）ソフトウエア処理で“New Patient”ボタン６ａの操作を無効にするため、ハードウエアの変更が不要であり、実施が容易になる。
（３）ロックモードではスキャンデータが更新されないため、ロックモード開始時のスキャンデータを保持しておくことが出来る。
（４）ロックモード中でも、コメントを入力したり、データ解析を行うことが出来る。その際、“New Patient”ボタン６ａを誤って押してしまっても該操作が無効になるので、面倒な結果を引き起こすことを防止できる。
（５）ロックモード中でも、パーソナルコンピュータとしての動作が可能である。その際、“New Patient”ボタン６ａを誤って押してしまっても該操作が無効になるので、面倒な結果を引き起こすことを防止できる。
（６）押しボタンが３秒以上押されないと通常モード／ロックモードの切換が有効にならないため、誤って通常モード／ロックモードを切り換えてしまうことを防止できる。
（７）画面表示により、ロックモード中であることを認識できる。
（８）操作ボタンを誤って押す確率が高い小型キーボードを採用した場合でも、面倒な結果を引き起こすことを防止できる。
（９）パワーオン時は必ず通常モードで立ち上がるため、使い勝手が良くなる。例えば、パーソナルコンピュータとして動作させている時に動作がおかしくなって通常モードに戻せなくなっても、パワーオンすることにより、超音波診断装置として動作させることが可能になる。
【００３６】
なお、上記では、ロックモード時に“New Patient”ボタン６ａの操作を無効にする例を挙げたが、それ以外の操作を無効にすることも可能である。
【００３７】
−第２の実施形態−
図４は、本発明の第２の実施形態に係る超音波診断装置１０２を示す構成図である。
この超音波診断装置１０２は、超音波パルスを被検体内へ送信すると共に該被検体内から超音波エコーを受信するプローブ１と、被検体の内部をスキャンするように音線方向を変えると共に各音線方向の音線信号を生成する送受信部２と、前記音線信号の強度やドプラ成分に基づいてＢモード画像データやＣＦＭ画像データを生成する信号処理部３と、画像やメッセージ等を表示制御を行う表示制御部４と、画像やメッセージを表示するディスプレイ５と、操作者が操作を行う操作部６’と、全体の動作を制御する制御部７’とを具備している。
【００３８】
前記操作部６’は、それまでの患者情報をリセットして新たな患者情報を入力する動作に切り換えるための“New Patient”ボタン６ａと、前記“New Patient”ボタン６ａの操作を有効にする通常モードと前記“New Patient”ボタン６ａの操作を無効にするロックモードとを切り換える通常／ロック切換スイッチ６ｂ’とを含んでいる。
前記通常／ロック切換スイッチ６ｂ’を通常モードにした状態では、“New Patient”ボタン６ａの信号が制御部７’に伝達される。通常／ロック切換スイッチ６ｂ’をロックモードにした状態では、“New Patient”ボタン６ａの信号が制御部７’に伝達されなくなり、ＬＥＤ８が点灯する。
【００３９】
図５は、超音波診断装置１０２（プローブ１は省略）の外観図である。
操作部６’の操作パネルには、“New Patient”ボタン６ａや通常／ロック切換スイッチ６ｂ’やキーボードＫＢ等が配置されている。
前記通常／ロック切換スイッチ６ｂ’は、カバー６ｃで保護されている。また、通常／ロック切換スイッチ６ｂ’にＬＥＤ８が内蔵されている。
【００４０】
超音波診断装置１０２は、パーソナルコンピュータとしての動作が可能であり、前記キーボードＫＢを用いてコンピュータ操作を行うことが出来る。
前記キーボードＫＢのキーは、小型化のため、幅４００ｍｍ以内に配置されている。
【００４１】
通常／ロック切換スイッチ６ｂ’を操作する時は、カバー６ｃを開ける操作と通常／ロック切換スイッチ６ｂ’を押す操作の２段階の操作が必要になる。
【００４２】
以上の超音波診断装置１０２によれば、次の効果が得られる。
（１）通常／ロック切換スイッチ６ｂ’によりロックモードに切り換えておけば、“New Patient”ボタン６ａを誤って押してしまった時でも該操作が無効になる（信号が制御部７’に伝達されない）ので、現在の患者情報を誤ってリセットしてしまうことを防止できる。
（２）ハードウエアで“New Patient”ボタン６ａの操作を無効にするため、ソフトウエアの変更が不要であり、実施が容易になる。
（３）ロックモード中でも、コメントを入力したり、データ解析を行うことが出来る。その際、“New Patient”ボタン６ａを誤って押してしまっても該操作が無効になるので、面倒な結果を引き起こすことを防止できる。
（４）ロックモード中でも、パーソナルコンピュータとしての動作が可能である。その際、“New Patient”ボタン６ａを誤って押してしまっても該操作が無効になるので、面倒な結果を引き起こすことを防止できる。
（５）２段階以上の操作を行わないと通常モード／ロックモード切換が有効にならないため、誤って通常モード／ロックモードを切り換えてしまうことを防止できる。
（６）ＬＥＤ８の点灯により、ロックモード中であることを認識できる。
（７）操作ボタンを誤って押す確率が高い小型キーボードを採用した場合でも、面倒な結果を引き起こすことを防止できる。
【００４３】
なお、上記では、ロックモード時に“New Patient”ボタン６ａの操作を無効にする例を挙げたが、それ以外の操作を無効にすることも可能である。
【００４４】
−第３の実施形態−
図６は、本発明の第３の実施形態に係る超音波診断装置１０３を示す構成図である。
この超音波診断装置１０３は、超音波パルスを被検体内へ送信すると共に該被検体内から超音波エコーを受信するプローブ１と、被検体の内部をスキャンするように音線方向を変えると共に各音線方向の音線信号を生成する送受信部２と、前記音線信号の強度やドプラ成分に基づいてＢモード画像データやＣＦＭ画像データを生成する信号処理部３と、画像やメッセージ等を表示制御を行う表示制御部４と、画像やメッセージを表示するディスプレイ５と、操作者が操作を行う操作部６”と、全体の動作を制御する制御部７”とを具備している。
【００４５】
前記操作部６”は、それまでの患者情報をリセットして新たな患者情報を入力する動作に切り換えるための“New Patient”ボタン６ａと、キーボードＫＢとを含んでいる。
前記キーボードＫＢを用いて、前記“New Patient”ボタン６ａの操作を有効にする通常モードと前記“New Patient”ボタン６ａの操作を無効にするロックモードとを切り換えることが出来る。
【００４６】
図７は、超音波診断装置１０３（プローブ１は省略）の外観図である。
操作部６”の操作パネルには、“New Patient”ボタン６ａやキーボードＫＢ等が配置されている。
前記キーボードＫＢの離れたキーｋ１，ｋ２を同時に押すことにより、通常モードとロックモードとを切り換えることが出来る。
【００４７】
超音波診断装置１０３は、パーソナルコンピュータとしての動作が可能であり、前記キーボードＫＢを用いてコンピュータ操作を行うことが出来る。
前記キーボードＫＢのキーは、小型化のため、幅４００ｍｍ以内に配置されている。
【００４８】
図８は、超音波診断装置１０３の制御部７”で実行される操作検出処理を示すフロー図である。この操作検出処理は、パワーオン時に起動される。
ステップＨ１では、通常モードとする。
ステップＨ２”では、キーボードＫＢの離れたキーｋ１，ｋ２が同時に押されたかチェックし、押されたならステップＨ３へ進み、押されてないならステップＨ９へ進む。
【００４９】
ステップＨ３では、現在のモードが通常モードならロックモードに変更し、現在のモードがロックモードなら通常モードに変更する。
ステップＨ４では、ロックモードに変更したならステップＨ５へ進み、通常モードに変更したならステップＨ７へ進む。
【００５０】
ステップＨ５では、スキャン動作を停止する。
ステップＨ６では、ディスプレイ５の画面にロックモード中である旨のメッセージ又はシンボルを表示する。
そして、ステップＨ９へ進む。
【００５１】
ステップＨ７では、スキャン動作を可能にする。
ステップＨ８では、ディスプレイ５の画面に表示していたロックモード中である旨のメッセージ又はシンボルを消去する。
そして、ステップＨ９へ進む。
【００５２】
ステップＨ９では、何らかの操作が行われたかチェックし、操作が行われたならステップＨ１０へ進み、操作が行われてないなら前記ステップＨ２に戻る。
【００５３】
ステップＨ１０では、“New Patient”ボタン６ａが押されたのであればステップＨ１１へ進み、それ以外の操作が行われたのであればステップＨ１２へ進む。
ステップＨ１１では、ロックモード中なら前記ステップＨ２に戻り、通常モード中ならステップＨ１２へ進む。
【００５４】
ステップＨ１２では、操作内容の処理を実行する。
そして、前記ステップＨ２に戻る。
【００５５】
以上の超音波診断装置１０３によれば、次の効果が得られる。
（１）通常／ロック切換ボタン６ｂによりロックモードに切り換えておけば、“New Patient”ボタン６ａを誤って押してしまった時でも該操作が無効になるので、現在の患者情報を誤ってリセットしてしまうことを防止できる。
（２）ソフトウエア処理で“New Patient”ボタン６ａの操作を無効にするため、ハードウエアの変更が不要であり、実施が容易になる。
（３）ロックモードではスキャンデータが更新されないため、ロックモード開始時のスキャンデータを保持しておくことが出来る。
（４）ロックモード中でも、コメントを入力したり、データ解析を行うことが出来る。その際、“New Patient”ボタン６ａを誤って押してしまっても該操作が無効になるので、面倒な結果を引き起こすことを防止できる。
（５）ロックモード中でも、パーソナルコンピュータとしての動作が可能である。その際、“New Patient”ボタン６ａを誤って押してしまっても該操作が無効になるので、面倒な結果を引き起こすことを防止できる。
（６）離れた位置にある２つのキーｋ１，ｋ２が同時に押されないと通常モード／ロックモードの切換が有効にならないため、誤って通常モード／ロックモードを切り換えてしまうことを防止できる。
（７）画面表示により、ロックモード中であることを認識できる。
（８）操作ボタンを誤って押す確率が高い小型キーボードを採用した場合でも、面倒な結果を引き起こすことを防止できる。
（９）パワーオン時は必ず通常モードで立ち上がるため、使い勝手が良くなる。例えば、パーソナルコンピュータとして動作させている時に動作がおかしくなって通常モードに戻せなくなっても、パワーオンすることにより、超音波診断装置として動作させることが可能になる。
【００５６】
なお、上記では、ロックモード時に“New Patient”ボタン６ａの操作を無効にする例を挙げたが、それ以外の操作を無効にすることも可能である。
【００５７】
【発明の効果】
本発明の超音波診断装置によれば、操作ボタンを誤って押してしまった時に面倒な結果を引き起こすことを防止できる。
【図面の簡単な説明】
【図１】第１の実施形態にかかる超音波診断装置を示す構成図である。
【図２】第１の実施形態にかかる超音波診断装置を示す外観図である。
【図３】第１の実施形態にかかる超音波診断装置による操作検出処理を示すフロー図である。
【図４】第２の実施形態にかかる超音波診断装置を示す構成図である。
【図５】第２の実施形態にかかる超音波診断装置を示す外観図である。
【図６】第３の実施形態にかかる超音波診断装置を示す構成図である。
【図７】第３の実施形態にかかる超音波診断装置を示す外観図である。
【図８】第３の実施形態にかかる超音波診断装置による操作検出処理を示すフロー図である。
【符号の説明】
１                          プローブ
２                          送受信部
３                          信号処理部
４                          表示制御部
５                          ディスプレイ
６，６’，６”              操作部
６ａ                        “New Patient”ボタン
６ｂ                        通常／ロック切換ボタン
６ｂ’                      通常／ロック切換スイッチ
７，７’，７”              制御部
８                          ＬＥＤ
１０１，１０２，１０３      超音波診断装置
ＫＢ                        キーボード
ｋ１，ｋ２                  キー
【図１】
0003938664.tif 000002
【図２】
0003938664.tif 000003
【図３】
0003938664.tif 000004
【図４】
0003938664.tif 000005
【図５】
0003938664.tif 000006
【図６】
0003938664.tif 000007
【図７】
0003938664.tif 000008
【図８】
0003938664.tif 000009